(57)【特許請求の範囲】
【請求項１】
浴槽内に設けた吸入口に一端部側が延設され他端部側が前記浴槽への吐出口に延設された循環用流路と、前記循環用流路の途中に配置された循環ポンプとろ過槽とを有し、前記循環ポンプによって前記浴槽内の水を前記循環用流路を通じて循環させて前記ろ過槽で浄化する浴槽水循環浄化装置において、
第１バイパス路と、第２バイパス路と、第１切替弁と、第２切替弁と、熱交換器と、バーナと、ヒータと、熱殺菌実行手段とを備え、
前記熱交換器は、前記バーナで加熱されるとともに前記循環用流路の経由したものであり、
前記第１バイパス路は、前記循環ポンプと前記ろ過槽と前記熱交換器とを経由しかつ前記浴槽を迂回した第１環状経路が形成されるように前記循環用流路内の所定の２箇所を接続したものであり、
前記第２バイパス路は、前記循環ポンプと前記ろ過槽とを経由しかつ前記熱交換器を迂回した第２環状経路が形成されるように前記第１環状経路内の所定の２箇所を接続したものであり、
前記第１切替弁は、前記循環ポンプによって送り出された水が前記第１バイパス路を流れて前記浴槽を迂回する浴槽迂回状態と、前記浴槽を経由する浴槽経由状態とに通水経路を切り替えるものであり、
前記第２切替弁は、前記循環ポンプによって送り出された水が前記第２バイパス路を流れて前記熱交換器を迂回する熱交迂回状態と、前記熱交換器を経由する熱交経由状態とに通水経路を切り替えるものであり、
前記ヒータは、前記第１環状経路と第２環状経路とに共通する配管部分に配置されたものであり、
前記熱殺菌実行手段は、所定温度範囲内に加熱した水を前記第１環状経路内または前記第２環状経路内で所定時間に渡って循環させる熱殺菌処理を実行するものであって、循環させる水が予め定めた殺菌目標温度に昇温するまでは、前記第１環状経路が形成されるように前記第１切替弁と第２切替弁とを設定して前記バーナと前記ヒータの双方で加熱し、前記殺菌目標温度に昇温した後は、前記第２環状経路が形成されるように第２切替弁を切り替えて前記ヒータで湯温を維持することを特徴とする浴槽水循環浄化装置。
【請求項２】
浴槽内に設けた吸入口に一端部側が延設され他端部側が前記浴槽への吐出口に延設された循環用流路と、前記循環用流路の途中に配置された循環ポンプとろ過槽とを有し、前記循環ポンプによって前記浴槽内の水を前記循環用流路を通じて循環させて前記ろ過槽で浄化する浴槽水循環浄化装置において、
第１バイパス路と、第２バイパス路と、第１切替弁と、第２切替弁と、熱交換器と、バーナと、ヒータと、熱殺菌実行手段とを備え、
前記熱交換器は、前記バーナで加熱されるとともに前記循環用流路の経由したものであり、
前記第１バイパス路は、前記循環ポンプと前記ろ過槽と前記熱交換器とを経由しかつ前記浴槽を迂回した第１環状経路が形成されるように前記循環用流路内の所定の２箇所を接続したものであり、
前記第２バイパス路は、前記循環ポンプと前記ろ過槽とを経由しかつ前記熱交換器を迂回した第２環状経路が形成されるように前記第１環状経路内の所定の２箇所を接続したものであり、
前記第１切替弁は、前記循環ポンプによって送り出された水が前記第１バイパス路を流れて前記浴槽を迂回する浴槽迂回状態と、前記浴槽を経由する浴槽経由状態とに通水経路を切り替えるものであり、
前記第２切替弁は、前記循環ポンプによって送り出された水が前記第２バイパス路を流れて前記熱交換器を迂回する熱交迂回状態と、前記熱交換器を経由する熱交経由状態とに通水経路を切り替えるものであり、
前記ヒータは、少なくとも第２環状経路に含まれる配管部分に配置されたものであり、
前記熱殺菌実行手段は、所定温度範囲内に加熱した水を前記第１環状経路内または前記第２環状経路内で所定時間に渡って循環させる熱殺菌処理を実行するものであって、循環させる水が予め定めた殺菌目標温度に昇温するまでは、前記第１環状経路が形成されるように前記第１切替弁と第２切替弁とを設定して前記バーナで加熱し、前記殺菌目標温度に昇温した後は、前記第２環状経路が形成されるように第２切替弁を切り替えて前記ヒータで湯温を維持することを特徴とする浴槽水循環浄化装置。
【請求項３】
前記熱交換器は、少なくとも給水を加熱するための給湯流路と前記循環用流路とが経由したものであることを特徴とする請求項１または２記載の浴槽水循環浄化装置。
【発明の詳細な説明】
【０００１】
【発明の属する技術分野】
本発明は、浴槽内に設けた吸入口に一端部側が延設され他端部側が前記浴槽への吐出口に延設された循環用流路と、前記循環用流路の途中に配置された循環ポンプとろ過槽とを有し、前記循環ポンプによって前記浴槽内の水を前記循環用流路を通じて循環させて前記ろ過槽で浄化する浴槽水循環浄化装置に関する。
【０００２】
【従来の技術】
従来から、浴槽内の水を捨てないで長期間に渡って使用できるように、浴槽水を循環させるための循環流路の途中にろ過槽を組み込んだ浴槽水循環浄化装置（いわゆる、２４時間ふろ装置）が提案されている。このような装置では、特開平９−８５２２８号公報に開示されているように、ろ過槽や循環流路内に繁殖する雑菌等を死滅させるために、熱交換器で６５℃程度の高温に加熱した湯をろ過槽等に通して熱殺菌するようになっている。
【０００３】
また特開平４−３６６３５１号公報には、循環流路の途中にバイパス路および切替弁を設けることで、浴槽を迂回した閉経路を形成できるようにし、浴槽を迂回したこの閉経路内で高温の湯を循環させて熱殺菌処理を行う技術が開示されている。
【０００４】
熱殺菌のための加熱は、一般に、浄化機能のみを備えた単独機では、浴槽水を保温するために設けた電気式の保温用ヒータを用いて行われ、ふろの追い焚き機能と給湯機能とを備えた給湯機に浴槽水の浄化機能を付加した装置では、バーナと熱交換器とを用いて行われる。
【０００５】
【発明が解決しようとする課題】
熱殺菌処理では、ろ過槽等へ流す水を約６５℃に加熱するが、この加熱をバーナで行うものでは、燃焼量を最小に設定しても加熱量が大き過ぎるので、熱殺菌処理中に何度もバーナをオンオフさせて間欠燃焼させなければならなかった。その結果、湯温がオーバーシュートし、ろ過槽や周辺部材の耐熱温度を一時的に越えて周辺部材の劣化を早めたり、アンダーシュートによって熱殺菌効率を低下させる等の問題があった。
【０００６】
ところで、バーナを点火する際には、空焚き防止のために、通常は、管内の通水の有無を流水センサで確認するようになっている。この際、流水センサがオンしていることだけで通水有りと判定すると、流水センサが故障でオン状態のままになっていることがあるので、流水センサがオフからオンに変化したことをもって通水の有無を確認しなければならない。
【０００７】
したがって、熱殺菌を行っている間、循環ポンプを常時駆動すると、流水センサがオンのままになるので、バーナをオンオフ制御するものでは、バーナをオンするごとに、循環ポンプを一旦停止させる等の対策が必要になり、熱殺菌中の制御が複雑化するとともに、循環ポンプの停止や再駆動を行う分だけ、熱殺菌にかかる時間が長くなる等の問題があった。
【０００８】
さらに、熱殺菌のための加熱と給湯のための加熱とを共通の熱交換器で行う、いわゆる一缶二水路型のものでは、給湯使用時には、バーナの燃焼量を給湯優先で制御するので、熱殺菌処理中に給湯が同時に使用されると、熱殺菌側の湯を適正温度に維持できなくなってしまう。このため、熱殺菌処理を一時的に中断する等の対策を施す必要があった。
【０００９】
一方、電気式の保温用ヒータで熱殺菌可能な温度まで昇温するものでは、昇温に長い時間を要するので、浴槽水を浄化するためのろ過運転が熱殺菌処理のために長く中断され、一時的な水質悪化を招いていた。また電気式のヒータだけで昇温すると、昇温費用（電気代）が嵩むことになる。
【００１０】
本発明は、このような従来の技術が有する問題点に着目してなされたもので、配管内の水を熱殺菌可能な温度まで短時間に昇温でき、かつ昇温後の湯を適正温度に簡単な制御で安定して維持することのできる浴槽水循環浄化装置を提供することを目的としている。
【００１１】
【課題を解決するための手段】
かかる目的を達成するための本発明の要旨とするところは、次の各項の発明に存する。
［１］浴槽（２００）内に設けた吸入口（２０１）に一端部側が延設され他端部側が前記浴槽（２００）への吐出口（２０２）に延設された循環用流路（５０）と、前記循環用流路（５０）の途中に配置された循環ポンプ（７０）とろ過槽（１１０）とを有し、前記循環ポンプ（７０）によって前記浴槽（２００）内の水を前記循環用流路（５０）を通じて循環させて前記ろ過槽（１１０）で浄化する浴槽水循環浄化装置において、
第１バイパス路（１０１）と、第２バイパス路（１０２）と、第１切替弁（６０）と、第２切替弁（９０）と、熱交換器（１２）と、バーナ（１１）と、ヒータ（５７）と、熱殺菌実行手段（１２１）とを備え、
前記熱交換器（１２）は、前記バーナ（１１）で加熱されるとともに前記循環用流路（５０）の経由したものであり、
前記第１バイパス路（１０１）は、前記循環ポンプ（７０）と前記ろ過槽（１１０）と前記熱交換器（１２）とを経由しかつ前記浴槽（２００）を迂回した第１環状経路（５０１〜５１１）が形成されるように前記循環用流路（５０）内の所定の２箇所を接続したものであり、
前記第２バイパス路（１０２）は、前記循環ポンプ（７０）と前記ろ過槽（１１０）とを経由しかつ前記熱交換器（１２）を迂回した第２環状経路（６０１〜６０９）が形成されるように前記第１環状経路（５０１〜５１１）内の所定の２箇所を接続したものであり、
前記第１切替弁（６０）は、前記循環ポンプ（７０）によって送り出された水が前記第１バイパス路（１０１）を流れて前記浴槽（２００）を迂回する浴槽迂回状態と、前記浴槽（２００）を経由する浴槽経由状態とに通水経路を切り替えるものであり、
前記第２切替弁（９０）は、前記循環ポンプ（７０）によって送り出された水が前記第２バイパス路（１０２）を流れて前記熱交換器（１２）を迂回する熱交迂回状態と、前記熱交換器（１２）を経由する熱交経由状態とに通水経路を切り替えるものであり、
前記ヒータ（５７）は、前記第１環状経路（５０１〜５１１）と第２環状経路（６０１〜６０９）とに共通する配管部分に配置されたものであり、
前記熱殺菌実行手段（１２１）は、所定温度範囲内に加熱した水を前記第１環状経路（５０１〜５１１）内または前記第２環状経路（６０１〜６０９）内で所定時間に渡って循環させる熱殺菌処理を実行するものであって、循環させる水が予め定めた殺菌目標温度に昇温するまでは、前記第１環状経路（５０１〜５１１）が形成されるように前記第１切替弁（６０）と第２切替弁（９０）とを設定して前記バーナ（１１）と前記ヒータ（５７）の双方で加熱し、前記殺菌目標温度に昇温した後は、前記第２環状経路（６０１〜６０９）が形成されるように第２切替弁（９０）を切り替えて前記ヒータ（５７）で湯温を維持することを特徴とする浴槽水循環浄化装置。
【００１２】
［２］浴槽（２００）内に設けた吸入口（２０１）に一端部側が延設され他端部側が前記浴槽（２００）への吐出口（２０２）に延設された循環用流路（５０）と、前記循環用流路（５０）の途中に配置された循環ポンプ（７０）とろ過槽（１１０）とを有し、前記循環ポンプ（７０）によって前記浴槽（２００）内の水を前記循環用流路（５０）を通じて循環させて前記ろ過槽（１１０）で浄化する浴槽水循環浄化装置において、
第１バイパス路（１０１）と、第２バイパス路（１０２）と、第１切替弁（６０）と、第２切替弁（９０）と、熱交換器（１２）と、バーナ（１１）と、ヒータ（５７）と、熱殺菌実行手段（１２１）とを備え、
前記熱交換器（１２）は、前記バーナ（１１）で加熱されるとともに前記循環用流路（５０）の経由したものであり、
前記第１バイパス路（１０１）は、前記循環ポンプ（７０）と前記ろ過槽（１１０）と前記熱交換器（１２）とを経由しかつ前記浴槽（２００）を迂回した第１環状経路（５０１〜５１１）が形成されるように前記循環用流路（５０）内の所定の２箇所を接続したものであり、
前記第２バイパス路（１０２）は、前記循環ポンプ（７０）と前記ろ過槽（１１０）とを経由しかつ前記熱交換器（１２）を迂回した第２環状経路（６０１〜６０９）が形成されるように前記第１環状経路（５０１〜５１１）内の所定の２箇所を接続したものであり、
前記第１切替弁（６０）は、前記循環ポンプ（７０）によって送り出された水が前記第１バイパス路（１０１）を流れて前記浴槽（２００）を迂回する浴槽迂回状態と、前記浴槽（２００）を経由する浴槽経由状態とに通水経路を切り替えるものであり、
前記第２切替弁（９０）は、前記循環ポンプ（７０）によって送り出された水が前記第２バイパス路（１０２）を流れて前記熱交換器（１２）を迂回する熱交迂回状態と、前記熱交換器（１２）を経由する熱交経由状態とに通水経路を切り替えるものであり、
前記ヒータ（５７）は、少なくとも第２環状経路（６０１〜６０９）に含まれる配管部分に配置されたものであり、
前記熱殺菌実行手段（１２１）は、所定温度範囲内に加熱した水を前記第１環状経路（５０１〜５１１）内または前記第２環状経路（６０１〜６０９）内で所定時間に渡って循環させる熱殺菌処理を実行するものであって、循環させる水が予め定めた殺菌目標温度に昇温するまでは、前記第１環状経路（５０１〜５１１）が形成されるように前記第１切替弁（６０）と第２切替弁（９０）とを設定して前記バーナ（１１）で加熱し、前記殺菌目標温度に昇温した後は、前記第２環状経路（６０１〜６０９）が形成されるように第２切替弁（９０）を切り替えて前記ヒータ（５７）で湯温を維持することを特徴とする浴槽水循環浄化装置。
【００１３】
［３］前記熱交換器（１２）は、少なくとも給水を加熱するための給湯流路（３０）と前記循環用流路（５０）とが経由したものであることを特徴とする［１］または［２］記載の浴槽水循環浄化装置。
【００１４】
前記本発明は次のように作用する。
熱殺菌実行手段（１２１）は、熱殺菌用に循環させる水が予め定めた殺菌目標温度に昇温するまでは、熱交換器（１２）とヒータ（５７）の双方を経由する第１環状経路（５０１〜５１１）が形成されるように第１切替弁（６０）と第２切替弁（９０）とを設定して、バーナ（１１）とヒータ（５７）の双方で加熱する。殺菌目標温度に昇温した後は、熱交換器（１２）を迂回しかつヒータ（５７）を経由する第２環状経路（６０１〜６０９）が形成されるように第２切替弁（９０）を切り替え、ヒータ（５７）で湯温を維持する。
【００１５】
このように、昇温中はバーナ（１１）とヒータ（５７）の双方で加熱するので、短時間のうちに熱殺菌可能な温度まで昇温することができる。一方、昇温後は、熱交換器（１２）を迂回させ、バーナ（１１）に比して発熱量の少ないヒータ（５７）のみで保温するので、微妙な温度制御が可能で熱殺菌中の湯温が安定するとともにオーバーシュート等が発生せず、ろ過槽（１１０）や周辺部材の耐久上好ましい。
【００１６】
また熱殺菌中の保温時にバーナ（１１）のオンオフ制御を行う必要がなく、流水スイッチによる通水確認の問題が発生せず、熱殺菌総時間が短縮される。さらに、給水を加熱するための給湯流路（３０）と循環用流路（５０）とが共通の熱交換器（１２）を経由するものであっても、保温中には、熱交換器（１２）を迂回させた経路で湯を循環させるので、給湯側が同時使用されても、熱殺菌側の湯温を安定に維持することができる。
【００１７】
なお、昇温をバーナ（１１）だけで行い、昇温後の保温をヒータ（５７）で行うようにしてもよい。
【００１８】
【発明の実施の形態】
以下、図面に基づき本発明の一実施の形態を説明する。
各図は、本発明の一実施の形態を示している。
図１に示すように、本実施の形態にかかる浴槽水循環浄化装置１０は、浴槽２００内の湯を浄化や追い焚きのために循環させる循環用流路５０と、給水を加熱して出湯するための給湯流路３０とを有している。浴槽水循環浄化装置１０は、バーナ１１の上方に配置された熱交換器１２を、給湯流路３０および循環用流路５０の双方が経由した、いわゆる一缶二水路型になっている。
【００１９】
給湯流路３０は、熱交換器１２のフィンプレートから受熱する配管部分である給湯系受熱管３１と、一端が給湯系受熱管３１の入側に接続され、他端側が給水の供給元に通じる給水管３２と、給湯系受熱管３１の出側から延びる給湯管３３とから構成されている。給水管３２の途中には、通水量を検知するための水量センサー３４が、また給水管３２のうち器具１０の入口部近傍には、逆止弁３５が設けてある。
【００２０】
給湯管３３のうち給湯系受熱管３１の出側近傍には、給湯系受熱管３１で加熱された後の水温を検知する熱交サーミスタ３６が配置されている。また給湯管３３のうち熱交サーミスタ３６よりも下流側の所定箇所には、給湯流路３０を通じて出湯される湯量を調整するための水量制御弁３７があり、その下流には、給湯確認用の水量センサ３８が取り付けられている。給湯管３３の器具１０からの出口部近傍には、過圧逃がし弁３９が設けてある。
【００２１】
給水管３２のうち熱交換器１２への入側近傍箇所と給湯管３３のうち熱交サーミスタ３６と水量制御弁３７の間の所定箇所との間には、熱交換器１２を迂回させて給水管３２からの給水を給湯管３３に直接流し込むための固定バイパス路４０が設けてある。また、給水管３２のうち水量センサー３４と逆止弁３５との間の所定箇所と給湯管３３のうち水量制御弁３７と水量センサ３８の間の所定箇所との間には、熱交換器１２を迂回させて給水管３２からの給水を給湯管３３に流し込むための可変バイパス路４１が設けてある。この可変バイパス路４１の途中には、給湯管３３に流し込む水量を調整するための水量制御弁４２が取り付けてある。
【００２２】
循環用流路５０は、熱交換器１２のフィンプレートから受熱する配管部分である循環系受熱管５１と、循環系受熱管５１の入側と浴槽２００に設けた吸入口２０１との間を接続する追い焚き戻り管５２と、循環系受熱管５１の出側と浴槽２００に設けた吐出口２０２との間を接続する追い焚き往き管５３とから構成されている。
【００２３】
追い焚き戻り管５２のうち循環系受熱管５１の入側近傍の所定箇所５４には、可変バイパス路４１の合流箇所４３と水量センサ３８との間で給湯管３３から分岐した連絡管４４が合流している。連絡管４４の途中には、当該連絡管４４を閉鎖するか開通させるかを切り替えるための注湯切替弁４５が設けてある。注湯切替弁４５を開くことで、給湯系受熱管３１で加熱された湯が連絡管４４を通じて合流箇所５４から循環用流路５０内へ流れ込み、循環用流路５０を通じて浴槽２００へ注湯できるようになっている。
【００２４】
追い焚き往き管５３の途中には、管内の通水を確認するための流水センサ５５が設けてある。追い焚き戻り管５２のうち合流箇所５４よりも吸入口２０１寄りの配管部分の途中には、第１電動三方弁６０と、循環ポンプ７０と、電動五方弁８０と、第２電動三方弁９０と、流水センサ７２とが吸入口２０１から熱交換器１２の入側に向けて上述の順で配置されている。また循環ポンプ７０と電動五方弁８０の間の配管部分と、流水センサ７２の近傍とには、管内の水温を検知するための浴槽サーミスタ７３と風呂サーミスタ７４が取り付けてある。
【００２５】
第１電動三方弁６０は、第１接続口６１と、第２接続口６２と、第３接続口６３とを有している。また電動五方弁８０は、第４接続口８１から第８接続口８５の５つの接続口を有し、第２電動三方弁９０は、第９接続口９１と、第１０接続口９２と、第１１接続口９３とを備えている。追い焚き戻り管５２は、浴槽２００内の吸入口２０１から第１電動三方弁６０の第１接続口６１に入り、第１電動三方弁６０の第２接続口６２から流水センサ７２を経由して電動五方弁８０の第４接続口８１に接続されている。さらに、電動五方弁８０の第５接続口８２から第２電動三方弁９０の第９接続口９１へと接続され、第２電動三方弁９０の第１１接続口９３から流水センサ７２を通じて循環系受熱管５１の入側に通じている。
【００２６】
第１電動三方弁６０の第３接続口６３は、追い焚き往き管５３のうち吐出口２０２と流水センサ５５との間から分岐した第１バイパス路１０１が接続されている。この第１バイパス路１０１の途中には、電気式のヒータ５７が取り付けて有る。また第２電動三方弁９０の第２接続口９２には、追い焚き往き管５３のうち流水センサ５５よりも熱交換器１２側の箇所から分岐した第２バイパス路１０２が接続されている。電動五方弁８０の有する第６接続口８３はろ過槽１１０の順方向出側１１１と接続され、電動五方弁８０の第７接続口８４には、排水管７５が接続されている。電動五方弁８０の第８接続口８５は、紫外線殺菌灯７６を介してろ過槽１１０の順方向入側１１２に接続されている。
【００２７】
ろ過槽１１０の内部には、図示しないろ材を格納してあり、順方向入側１１２から流入した水は、ろ材を通過する際にゴミ等が除去されて浄化され、順方向出側１１１から排出される。循環ポンプ７０は、第１電動三方弁６０の第２接続口６２側から電動五方弁８０の第４接続口８１側に向かって管内の水を送り出すようになっている。
【００２８】
第１電動三方弁６０は、第１接続口６１と第２接続口６２とが連通される浴槽経由状態と、第２接続口６２と第３接続口６３とが連通される浴槽迂回状態とに少なくとも電動で切り替え可能になっている。第２電動三方弁９０は、第９接続口９１と第１０接続口９２とを連通させた熱交迂回状態と、第９接続口９１と第１１接続口９３と連通させた熱交経由状態とに少なくとも電動で切り替え可能になっている。
【００２９】
また電動五方弁８０は、第４接続口８１を第５接続口８２から第８接続口８５のうちのいずれかと連通させるとともに第４接続口８１と連通していない残り３つの接続口のうちのいずれか２つの接続口同士の間を連通させる連通状態と、いずれの接続口８１〜８５同士も連通させずに各接続口８１〜８５を閉鎖する閉鎖状態とに電動で切り替え可能になっている。
【００３０】
浴槽水循環浄化装置１０は、給湯動作、注湯動作、追い焚き動作、ろ過動作、熱殺菌処理など各種の動作を制御するための制御部１２０を備えている。制御部１２０は、注湯切替弁４５、第１電動三方弁６０、電動五方弁８０、第２電動三方弁９０の各弁の切替制御、ヒータ５７の加熱制御、バーナ１１の燃焼制御を行うことによって、熱殺菌処理を実行する熱殺菌処理実行部１２１を備えている。
【００３１】
制御部１２０には、バーナ１１の燃焼を制御するための図示しない点火装置やガス電磁弁、比例弁のほか、経路を切り替えるための各種の弁４５、６０、８０、９０、循環ポンプ７０、さらには、流水センサ５５、７２や熱交サーミスタ３６、風呂サーミスタ７４など各種の制御部品やセンサ類が簡略図示した配線１２２によって電気的に接続されている。また制御部１２０には、出湯温度の設定や、風呂の追い焚き指示等を受け付けるための図示しないリモコンが接続されている。このリモコンは浴室等に設置されるものである。
【００３２】
次に作用を説明する。
浴槽水循環浄化装置１０は、通常状態では、浴槽水を浄化するためのろ過運転を実行している。ろ過運転中は、第１電動三方弁６０は、第１接続口６１と第２接続口６２とが連通し、第３接続口６３の閉塞した浴槽経由状態に設定される。また電動五方弁８０は、第４接続口８１と第８接続口８５とが連通し、かつ第６接続口８３と第５接続口８２の連通するろ過槽順方向経由状態に設定される。第２電動三方弁９０は、第９接続口９１と第１０接続口９２とが連通する熱交迂回状態に切り替えられる。
【００３３】
ろ過運転では、このような経路状態で循環ポンプ７０を駆動して、図２の矢印３０１〜３１３の示すように浴槽水を循環させる。なお、ろ過運転中に追い焚き加熱をする場合は、第２電動三方弁９０が熱交経由状態に切り換えられ、矢印３０８、３０９で示した第２バイパス路１０２を通る経路に代えて、矢印３２１〜３２３で示した熱交換器１２を経由する経路内を浴槽水が循環するようになっている。
【００３４】
ただし、追い焚きを伴うろ過運転中に、給湯動作が開始されると、給湯系受熱管３１とともに循環系受熱管５１も同時に加熱され、浴槽水をふろ側の設定温度に維持することができなくなるので、第２電動三方弁９０を熱交迂回状態に戻すようになっている。なお、ろ過運転中に給湯割り込みがあった場合、風呂側は熱交換器を迂回させることになっているが、そのままろ過運転（追い焚き運転）を継続してもよい。燃焼制御は、あくまでも給湯側優先であるが、風呂側最高設定温度（４８℃）と給湯最低設定温度（３８℃）であっても、風呂側の巻水管が冷却されることはなく、よって、ポンプで強制循環しているため、浴槽の湯温は上昇を続ける。この上昇温度は、吸い込み口付近に設けられた浴槽サーミスタで検知され、この温度が浴槽側設定温度になるまで追い焚きを継続すれば、目的は達成される。
【００３５】
図３は、熱殺菌処理の流れを示している。熱殺菌処理は、通常、一月に一回程度行われるものであり、たとえば、ろ過運転が行われた時間を制御部１２０で累積計測し、ろ過運転時間が所定時間に達したとき、熱殺菌処理の開始指示が制御部１２０自身の所定回路部分から出力されるようになっている。
【００３６】
熱殺菌の開始指示が出力されると、まず、循環ポンプ７０を停止して、第１電動三方弁６０を第３接続口６３と第２接続口６２とが連通し第１接続口６１の閉鎖される浴槽迂回状態に設定する（ステップＳ４０１）。次に、浴槽サーミスタ７３の検出する温度が、熱殺菌可能な湯温として予め定めた殺菌目標温度（ここでは、６５℃）に達しているか否かを判別する（ステップＳ４０２）。
【００３７】
通常、浴槽水は４０℃程度に保温されており、殺菌目標温度以下なので（ステップＳ４０２；Ｙ）、第２電動三方弁９０を第９接続口９１と第１１接続口９３とが連通し第１０接続口９２の閉鎖される熱交経由状態に設定した後（ステップＳ４０３）循環ポンプ７０を駆動し、図４の矢印５０１〜５１１で示す第１環状経路内で浴槽水を循環させる。このとき、バーナ１１とヒータ５７の双方で第１環状経路内を循環する浴槽水を加熱する（ステップＳ４０４、４０５）。これにより、短時間で殺菌目標温度まで昇温する。
【００３８】
殺菌目標温度まで第１環状経路内の水温が上昇すると（ステップＳ４０２；Ｎ）、熱殺菌の実行時間を計測するためのタイマーをスタートさせ（ステップＳ４０６）、バーナ１１の燃焼をオフする（ステップＳ４０７）。そして、循環ポンプ７０の駆動を停止させてから第２電動三方弁９０を第９接続口９１と第１０接続口９２の連通する熱交迂回状態に設定し（ステップＳ４０８）、再び循環ポンプ７０を駆動する。
【００３９】
これにより、図５の矢印６０１〜６０９で示すように、バーナ１１と浴槽２００を迂回し、かつろ過槽１１０を経由する第２環状経路内で浴槽水が循環する。第２環状経路内を循環中の湯は、ヒータ５７によって熱殺菌のための適正温度に維持される。すなわち、浴槽サーミスタ７３の検知する温度が保温の上限温度を越えると（ステップＳ４０９；Ｙ）、ヒータ５７がオフされ（ステップＳ４１０）、保温の下限温度以下になると（ステップＳ４１１；Ｙ）、再びヒータ５７がオンされる（ステップＳ４１２）。
【００４０】
ヒータ５７で湯温を維持しながら第２環状経路内を循環させる動作を予め定めた殺菌継続時間（ここでは、３分）だけ実行し終えると（ステップＳ４１３；Ｙ）、ヒータ５７をオフし（ステップＳ４１４）、循環ポンプ７０を停止させてから第１電動三方弁６０を第１接続口６１と第２接続口６２とが連通し第３接続口６３の閉鎖された浴槽経由状態に戻し（ステップＳ４１５）、熱殺菌処理を終了する。熱殺菌処理終了後は、通常、循環ポンプ７０が再駆動されて、ろ過運転の状態に戻る。
【００４１】
このように、昇温中はバーナ１１とヒータ５７の双方で加熱するので、短時間のうちに熱殺菌の可能な殺菌目標温度まで昇温させることができる。また、昇温後は、熱交換器１２を迂回した第２環状経路内で浴槽水を循環させ、バーナ１１に比して発熱量の少ないヒータ５７のみで保温するので、微妙な温度制御が容易で、湯温を熱殺菌の適正温度に安定して維持することができる。したがって、バーナ１１をオンオフ制御して熱殺菌中の保温を行う場合のように、湯温のオーバーシュート等が発生せず、ろ過槽１１０や周辺部材の耐久性向上に貢献する。またアンダーシュートも起こり難くなり、効率よく熱殺菌を行うことができる。
【００４２】
さらに、熱殺菌中の保温時にバーナをオンオフ制御しないので、バーナ１１の点火前に循環ポンプ７０を一旦停止してから再駆動し、流水センサ７２がオフからオンになったことを確認するという通水確認動作を、バーナ１１の点火ごとに行う必要が無くなり、熱殺菌処理にかかる総時間を短縮することができる。
【００４３】
また、熱殺菌保温中は熱交換器１２を迂回させた第２環状経路内で湯を循環させるので、給湯側が同時使用されても、熱殺菌用の湯温を安定に維持することができる。なお、昇温中に給湯側の使用があっても、昇温動作は、給湯使用の無い場合と同様に行われる。昇温中に給湯側が同時使用されると、バーナ１１の燃焼量が給湯優先で制御されるとともにバーナ１１の熱が給湯側により多く吸熱されるようになるが、第１環状経路内で循環する水も同時に加熱されるので、ヒータ５７のみで加熱する場合よりは、短時間のうちに殺菌目標温度まで昇温することができる。ただし、給湯の同時使用が無い場合に比べると、昇温に要する時間は長くなり、どの程度長くなるかは、給湯側の出湯温度や出湯量などに依存して変動する。
【００４４】
以上説明した実施の形態では、ヒータ５７を第１バイパス路１０１の途中に配置したが、第１環状経路と第２環状経路の双方に共通する配管部分であれば、どの箇所に配置してもよい。
【００４５】
また昇温中、バーナ１１とヒータ５７の双方で加熱したが、バーナ１１だけを用いて昇温し、昇温後の保温をヒータ５７だけで行うようにしてもよい。この場合には、少なくとも第２環状経路に含まれる配管部分にヒータ５７を配置すればよく、必ずしも、第１環状経路と第２環状経路とに共通する配管部分でなくてもよい。したがって、第２バイパス路１０２の途中にヒータ５７を配置してもよい。
【００４６】
さらに、実施の形態では、熱殺菌の保温中にヒータ５７をオンオフ制御するようにしたが、ヒータ５７を連続的にオンさせるとともに供給する電力を変化させてヒータ５７の発熱量を制御し、湯温を熱殺菌の適正温度範囲内に保持するようにしてもよい。また吐出口を浴槽の側壁に設けたが、吐出口を浴槽の外部上方に設け、当該吐出口から浴槽内へ向かって湯を落とし込むものであってもよい。
【００４７】
このほか実施の形態では、一缶二水路型の給湯と追い焚きのできる給湯機を浴槽水循環浄化装置１０として例示したが、これに限定されず、暖房経路をさらに加え、給湯と追い焚きと暖房の各流路を共通の熱交換器で加熱する一缶多水路型の熱交換器を備えたものであっても本願は有効である。また、循環用流路５０および給湯流路３０を個別の熱交換器で加熱する、二缶二水路型のものであってもよい。なお、バーナへ供給する燃料はガス以外に石油等であってもかまわない。また、石油等ではガンタイプバーナのようなバーナレスタイプなどでもよい。
【００４８】
【発明の効果】
本発明にかかる浴槽水循環浄化装置によれば、殺菌目標温度に昇温するまでは、熱交換器とヒータの双方を経由する第１環状経路を形成し、バーナとヒータの双方で加熱するので、短時間のうちに熱殺菌可能な温度まで昇温することができる。また殺菌目標温度に昇温した後は、熱交換器を迂回しかつヒータを経由する第２環状経路を形成してヒータだけで湯温を維持するので、熱殺菌保温中の湯温が安定するとともにオーバーシュート等が発生せず、ろ過槽や周辺部材の劣化が防止される。
【００４９】
さらに、熱殺菌保温中にバーナをオンオフ制御しないので、バーナの点火前に循環ポンプを一旦停止してから再駆動し、流水センサがオフからオンになったことを確認するという通水確認動作を、バーナの点火毎に行う必要が無くなり、熱殺菌処理にかかる総時間を短縮することができる。
【００５０】
また給水を加熱するための給湯流路と循環用流路とが共通の熱交換器を経由するものであっても、保温中は熱交換器を迂回させた経路内で湯を循環させるので、給湯側が同時使用されても、熱殺菌側の湯温を安定に維持することができる。
【図面の簡単な説明】
【図１】本発明の一実施の形態に係る浴槽水循環浄化装置を示す説明図である。
【図２】本発明の一実施の形態に係る浴槽水循環浄化装置がろ過運転を行う際に浴槽水の流れる経路を示す説明図である。
【図３】本発明の一実施の形態に係る浴槽水循環浄化装置が熱殺菌処理を実行する際の動作の流れを示す流れ図である。
【図４】本発明の一実施の形態に係る浴槽水循環浄化装置が熱殺菌昇温中に形成する第１環状経路を示す説明図である。
【図５】本発明の一実施の形態に係る浴槽水循環浄化装置が熱殺菌保温中に形成する第２環状経路を示す説明図である。
【符号の説明】
１０…浴槽水循環浄化装置
１１…バーナ
１２…熱交換器
３０…給湯流路
５０…循環用流路
５２…追い焚き戻り管
５３…追い焚き往き管
５７…ヒータ
６０…第１電動三方弁
６１…第１接続口
６２…第２接続口
６３…第３接続口
７０…循環ポンプ
７２…流水センサ
７４…風呂サーミスタ
７５…排水管
７６…紫外線殺菌灯
８０…電動五方弁
８１…第４接続口
８２…第５接続口
８３…第６接続口
８４…第７接続口
８５…第８接続口
９０…第２電動三方弁
９１…第９接続口
９２…第１０接続口
９３…第１１接続口
１０１…第１バイパス路
１０２…第２バイパス路
１１０…ろ過槽
１２１…熱殺菌処理実行部
２００…浴槽
２０１…吸入口
２０２…吐出口
【図１】
0003969615.tif 000002
【図２】
0003969615.tif 000003
【図３】
0003969615.tif 000004
【図４】
0003969615.tif 000005
【図５】
0003969615.tif 000006